(57)【要約】      （修正有）【課題】自転車において、上り坂を登る手段として変速ギアー方式、電動自転車方式など自転車に乗車しての対応策のみが考えられてきたが、何れにしても内容に限界がある。【解決手段】上述の課題を解決するために本発明の上り坂対応自転車牽引ベルトは、従来の視点から上り坂を自転車１００を降りて、いかに楽に歩くかによって上り坂の克服を狙った考え方で、乗車者２００の身体にショルダーベルト１を装着し、緩衝バネ３を介してリード４を自転車１００の後輪泥よけステイ５に接続し、自転車１００を乗車者２００の身体で牽引し、更に自転車ハンドル６に延長ハンドル７及びセンターハンドル８を装着して自転車１００を垂直に立て、自転車１００の手押しの際の傾きによる重さ及び、上り坂の抵抗による重さの軽減を図り、急な上り坂でも楽に登れるようにし、更にセンターハンドル８には傘をセットする事が出来る構造も有している。【選択図】図１
2008001140.tif 000002
【特許請求の範囲】
【請求項１】
従来、上り坂を自転車で乗車したまま登るには限界が有り、自転車を手押し歩行により無理な姿勢で、自転車の重さと上り坂の抵抗により、両腕に大きな負荷を掛けて登っていましたが、それらの負荷を軽減する目的で、乗車者の身体にショルダーベルトを装着して自転車を歩行により牽引するもので、輪状部材の長さ調整可能なショルダーベルトを輪状針金部材のリングに接続し、更に輪状針金部材のリングを介して緩衝バネの一端を取り付け、緩衝バネのもう一方の端を輪状針金部材のリングに接続し、輪状針金部材のリングを介してリードの一方の端が接続され、リードのもう一方の端にあるリードフックを自転車の後輪の泥よけステイに接続し、上り坂においてショルダーベルトに梃子の原理で全身の体重を掛けて、歩行により自転車を牽引する事で足の踏ん張り力も少なく、上り坂の抵抗力と自転車自体の重さを両腕一点に掛けずに、自転車の手押しによる乗車者の無理な前のめりの姿勢から解放し、身体全体の疲れを軽減する構造を有する上り坂対応自転車牽引ベルト。
【請求項２】
請求項１に記載された上り坂対応自転車牽引ベルトにおいて、ショルダーベルトとリードの間に、自転車の重量の緩和とタイヤ接地面の衝撃を緩衝する為に、緩衝バネが装備されており、緩衝バネにはワイヤー部材の緩衝バネストッパーが、緩衝バネと平行して２カ所の輪状針金部材のリングに取り付けられ、またワイヤー部材の緩衝バネストッパーは緩衝バネの約２倍の長さがあり、緩衝バネが伸びきる前にワイヤー部材の緩衝バネストッパーが伸びきってストッパーの役目をしているが、しかし、緩衝バネの約２倍の長さが有るため、ワイヤーに大きなたるみが生じ、他の物に引っ掛かり邪魔になる事が有るので、コンパクトにするために緩衝バネの外側に、パイプ部材の緩衝バネストッパー固定部を挿入し、緩衝バネの表面を自由に移動出来るようにして、更にワイヤー部材の緩衝バネストッパーの中央部をパイプ部材の緩衝バネストッパー固定部に取り付けて、ワイヤー部材の緩衝バネストッパーのたるみを最小限にした、緩衝バネと緩衝バネストッパー及び緩衝バネストッパー固定部を有する構造の上り坂対応自転車牽引ベルト。
【請求項３】
請求項１に記載された上り坂対応自転車牽引ベルトにおいて、上り坂で自転車の乗車継続が出来ず、自転車を手押しにより上り坂を登る場合、上り坂の抵抗力に対し乗車者が自転者を両腕で押すために自転車のバランスの関係上、乗車者の内側に傾くのと、手押し姿勢の時、歩行中の足がペダルに引っ掛かるのを避けるために、自転車を更に傾ける事で、自転車の傾きによる自転車の重さと、自転車自体の重さが上り坂の抵抗力にプラスされて、両腕に負荷が重く掛かってくるのを避ける為に、自転車を垂直に立て自転車を走行時と同じバランスにし、上り坂の抵抗を減少させ、更に自転車の傾きによる重さをなくし、自転車のペダルが足に引っ掛からないよう、自転車からの離れて歩行が出来るようにする目的で、自転車の片方のハンドルに延長ハンドルを取り付け、またハンドルの中央部にはセンターハンドルを取り付けて自転車の中央バランスを取り、更に自転車を乗車者の身体で牽引するために両腕には負荷が掛からないので、自転車のバランスと方向をコントロールのみに使うことで、さらに両腕を身体の支えとして延長ハンドル及びセンターハンドルに乗せる事で、シルバーカーのように上り坂を足腰にに余り負荷を掛けずに登れるという二次的な効果も生まれ、またセンターハンドルには雨天時に傘をセットできる機構も備えていて、自転車の内側の傾き、及び上り坂の抵抗による腕の疲れ、自転車ペダルに足の引っ掛かり、足の踏ん張りによる疲れを少くなる構造を有する上り坂対応自転車牽引ベルト。
【発明の詳細な説明】
【技術分野】
【０００１】
本発明は、自転車を上り坂で手押し歩行する場合、上り坂の抵抗力と自転車の重さ及び、手押しによる自転車の傾きによる三つの力のベクトルの重さを軽減する為、自転車をショルダーベルト使って身体で牽引し、又、延長ハンドルで自転車を垂直にバランスを取るようにした自転車牽引ベルトで、ショルダーベルト、取り付けリング、緩衝バネ、緩衝バネストッパー、取り付けリング、リード、 延長ハンドル、センターハンドルで構成された上り坂対応自転車牽引ベルトに関するものである。
【背景技術】
【０００２】
従来、自転車の上り坂に対応する為の技術は多数考案されて来ましたが、しかし、その技術は自転車に乗車して上り坂を登る為の技術のみでした。
【０００３】
実開昭５１−１９５０における自転車用増力駆動テンションベルトの着脱具は、この用具を身体に装着して、自転車に乗車した姿勢で自転車のペダルに掛かる力の増強を図る為のものである。
【０００４】
また特開２００１ー１８０５６６自転車用電動モーター取り付け部品とその製造組立て方法は電動モーターによる自転車の走行負荷を軽減したものである。
【特許文献１】実開昭５１−１９５０号公報
【特許文献２】特開２００１−１８０５６６号公報
【発明の開示】
【発明が解決しようとする課題】
【０００５】
しかし、上記した実用新案文献の自転車用増力駆動テンションベルトの脱着具は、自転車に乗車した状態でのみ効力が発揮されるが、しかし、継続する急な上り坂の場合は自転車に乗車した人にもパワーの限界があり降車しなければならないが、降車した場合の自転車及び乗車者に対する対応策が全く講じられていない。
【０００６】
自転車に乗車した状態で上り坂を登る場合は、上り坂における抵抗力でペダルに掛かる負担が大きく、自転車に乗車する者にとってかなりの負担であが、その負担を自転車用電動モーター取り付け部品とその製造組み立て方法を装着することで、乗車人のペダルを漕ぐパワーを電動で補うおうとしているが、自転車の値段が高くなる事と、充電しなければならないと云う手間が増える。
【０００７】
増力駆動帯を乗車者に対して装着する場合、身体に装着するので走行中身体全体に負荷を感じる。
【０００８】
増力駆動帯を身体に装着し自転車のフレームの取り付け装置にテンションベルトで接続する事により、乗車人の姿勢が前屈となるので長時間の走行は身体に対しての大きな負荷となる。
【０００９】
また、自転車用電動モーター取り付け部品とその製造方法については、あくまでも電動による動力を使用しての自転車に対しての走行を補助するものであり、自転車本来の漕ぐ力のみで他の動力を使わずに、乗車者が自転車に乗る事を目的としていない。
【００１０】
本発明は上述した、このような自転車用増力駆動テンションベルトの脱着具、及び自転車用電動モーター取り付け部品とその製造方法の問題点に対して、解決する事が出来る、上り坂対応自転車牽引ベルトを提供する事である。
【課題を解決するための手段】
【００１１】
上記の目的を達成する本発明の上り坂対応自転車牽引ベルトは、輪状部材の脱着可能で長さ調整可能なショルダーベルトを装備している。
【００１２】
ショルダーベルトの両先端には脱着フックがあり、緩衝バネに取り付けられた輪状針金部材のリングにショルダーベルト装着時は両端フックがセットされる。
【００１３】
緩衝バネの両端には輪状針金部材のリングが接続されている。左右のリングとの間には緩衝バネと平行にワイヤー部材の緩衝バネストッパーが取り付けられ、バネの伸びきりを防止している。更に緩衝バネの外側にパイプ部材の緩衝バネストッパー固定部が挿入されワイヤー部材の緩衝バネストッパーのたるみを防止している。
【００１４】
緩衝バネに接続されたリングにリードの一方の端が連結され、もう一方の端のリードフックが自転車後輪の泥よけステイに接続され、リードは自転車の大きさによって長さを調整する為のタックルを備えている。
【００１５】
自転車の片方のハンドルに延長ハンドルが取り付けられていて、延長ハンドルは自転車のハンドルに接続するために差し込まれる、パイプ部材の太めの延長ハンドル取り付け部と、ハンドルを延長するための細めの延長ハンドル収縮自在バーとの組み合わせで作成され、細めの延長ハンドル収縮自在バーの先端にはゴム部材（スポンジ部材等も含む）の延長ハンドル握り部がある構造になっている。
【００１６】
更に自転車ハンドルの中央部にはセンターハンドルが取り付けられている。取り付けは、パイプＴ字型部材のセンターハンドル取り付け部を、調整出来る輪状金属部材の延長ハンドル固定バンドで固定し、更にパイプＴ字型部材の延長ハンドル取り付け部に、細めのパイプ部材のセンターハンドルパイプ部が差し込まれ、その先端にはゴム部材のセンターハンドルに握り部が取り付けられる。またセンターハンドルの先端の開いた穴に、パイプ部材の傘アングル取り付け部がセットされ、傘アングルが接続される。更に傘アングルの先端に傘取り付け部が取り付けられ留め金により透明傘が取り付けられる構造を有している。傘取り付け構造はセンターハンドルの先端部に約１０ｃｍ程度のパイプ部材の傘アングル取り付け部を差し込み約２ｃｍ程度出してパイプ部材の傘アングルをネジで止めて、自転車ハンドルの右側後方に、金属パイプ部材の傘アングルが約２５ｃｍ程度後方横に伸びていて、直角曲がりパイプ部材の傘取り付け部を接続しし、傘取り付け部に透明傘の柄の曲がった部分をカットして、傘取り付け部に差し込み金属部材の蝶ねじでセットする簡単な構造であり、また傘取り付け時以外はセンターハンドルの先端の穴には、円筒部材のキャップが付けられている。
【００１７】
以上のように本発明の上り坂対応自転車牽引ベルトは構成されているので、上り坂を自転車を足で漕いで行くか、又は腕で押して行くのに対し、自転車牽引ベルト、及び延長ハンドルを自転車に取り付ける事により、出来るだけ乗車者の上り坂に対する負担を軽くする事で、坂道の多い所でも楽に自転車に乗れるようにする事を目的とする。更に上り坂を徒歩で登るのに対して、上り坂対応自転車牽引ベルトを付けて自転車（自転車の重量により異なる）を牽引して登った方が、自転車の延長ハンドル及びセンターハンドルに両腕を寄り掛かることで、体重を預ける事が出来、シルバーカーのように上り坂に対して足を無駄に踏ん張る必要もなく楽に登れると言う二次的効果があり、また乗車者の身体全体の体重が前方に掛かる事で梃子の原理で自転車の牽引力が増し自転車をスムースに牽引出来る効果もある。
【００１８】
このように上り坂対応自転車牽引ベルトを使用する事によって、上り坂を自転車を牽引して楽に登れる事は、上り坂の多い地域で自転車に乗って苦労している人々にとっては、おおいに役立つものと思います。
【発明の効果】
【００１９】
以上のように、この発明は自転車で上り坂を登る場合の、補助品としての上り坂対応自転車牽引ベルトであり、上り坂に於ける乗車者の負担を出来るだけ軽減し、楽に上り坂を登れるようにする事で、上り坂に対する乗車者（特に老人）の精神的肉体的負担による自転車離れを防ぎ、更に自転車による運動効果による健康増進にも役立てる事が出来、、また自転車によるレジャーの活性化にも繋がると思います。例えば上り坂を楽に歩けると云う事で、自転車による長距離の旅も考えられ、またマウンテンバイクなどの山への登りについては、体力増強を目的とし自力で上り坂を楽に登れるので、自転車を山に運ぶ為に他の力を借りず、一人でも楽しめるなど利点があります。また従来の上り坂に対する自転車の対応方法は、変速ギアーや電動自転車、又は自転車用増力駆動帯テンションバンド（実用化されていない）の考え方など、自転車に乗車した場合の考え方であり、それに対して自転車から降車して牽引ベルトを取り付ける事で楽に上り坂を登れると言う考え方は、今までに発想されなかった考え方だと思います。更に上り坂自転車牽引ベルトの延長ハンドル及びセンターハンドルの部分については、将来は製造段階で折りたたみ式部品としてコンパクトにし、自転車のハンドルに直接装備することも可能です。
【発明を実施するための最良の形態】
【００２０】
以下、本発明の実施形態を図に基づいて説明する。
【００２１】
図１は、この発明の実施形態に従った上り坂対応自転車牽引ベルト全体を示す斜視図である。
【００２２】
図１に示すように上り坂対応自転車牽引ベルトは、輪状部材の調整可能なショルダーベルト１の先端にあるショルダーベルトフック１Ａを輪状針金部材のリング２に接続して、更に緩衝バネ３の一端をリング２に接続する。緩衝バネ３のもう一方の端を輪状針金部材のリング２Ａに接続し、更にリング２Ａにリード４の一端を連結し、もう一方の端に有るリードフック４Aにより自転車１００後方にある、泥よけステイ５Aに接続され、また緩衝バネ３の外側に緩衝バネストッパー３Aが備えられて、更に自転車１００の前方の自転車ハンドル６の片側一方に、取り付け取り外しが容易なパイプ部材の延長ハンドル７及びセンターハンドル８が取り付けられる。
【００２３】
上り坂対応自転車牽引ベルトを形成する部材として、輪状部材のショルダーベルト１は、乗車者２００の身体のサイズ、及び自転車１００のサイズに合わせて長さを調整するためのショルダーベルトタックル１Bを備えていて、ショルダーベルト１両端にはショルダーベルトフック１Aがあり、輪状針金部材のリング２に接続される。
【００２４】
ショルダーベルト１が接続されている輪状針金部材のリング２に、緩衝バネ３の一方の端が接続され、もう一方の端を輪状針金部材のリング２Aに接続する。緩衝バネ３は自転車１００の重さ、及びタイヤ１１の路面の衝撃が輪状部材のショルダーベルト１に伝わるのを緩和するためのものであり、また緩衝バネ３にはワイヤー部材の緩衝バネストッパー３Aが装備されており、緩衝バネ３が伸びきらないようにしている。
【００２５】
緩衝バネ３が接続している輪状針金部材のリング２Ａに、リード４の一方の先端が接続され、もう一方の端にあるリードフック４Ａを泥よけ取り付けステイ５に接続する事で自転車１００を後方より、乗車者２００の身体で牽引する事ができる。またリード４には自転車１００のサイズによって長さを調整出来るリードタックル４Ａを備えている。
【００２６】
自転車ハンドル６にパイプ部材の延長ハンドル７及びセンターハンドル８が取り付けられる。パイプ部材の延長ハンドル７は、自転車１００のハンドル握り部６Ａに挿入できる太さのパイプ部材で、簡単に取り付け取り外し可能な延長ハンドル取り付け部７Ｂと、延長ハンドル７を延長するために細めのパイプ部材の延長ハンドル収縮自在バー７Ｃと、ゴム製部材（スポンジ製、他も含む）の延長ハンドル握り部７Ｄで構成されている。またセンターハンドル７はパイプ部材でＴ字型のハンドル取り付け部７Ｂを輪状金属部材の延長ハンドル固定バンド７Ａで固定し、また輪状金属部材のＴ字型センターハンドル取り付け部８Ａに延長約１５ｃｍ程度のセンターハンドルパイプ部８Ｃが差し込まれ、その上にゴム部材のセンターハンドル握り部８Ｄが取り付けられている。センターハンドルパイプ部材８Ｃの先端には傘アングル取り付け部９があり、雨の日に傘を使用する目的で、パイプ部材の傘アングル９Ａが取り付けられ、傘アングル９Ａの先端に有る傘取り付け接続部９Ｂに、透明傘３００の柄の曲がり部を切って挿入し金属部材の留め金９Ｃで固定する簡単な構造になっている。また通常は傘アングル取り付け部９には円筒部材のキャップ９Ｄが取り付けられている。
【００２７】
図２は、この発明の実施形態に従った、上り坂自転車牽引ベルトの乗車者２００の身体に装備して、自転車を牽引する時のショルダーベルト１及び、緩衝バネ３、リード４の拡大図である。
【００２８】
図１に示す上り坂対応自転車牽引ベルトを乗車者２００の身体に装着する為には、図２に示すように輪状部材のショルダーベルト１を、乗車者２００の身体のサイズに合わせてショルダーベルトタックル１Ｂにより長さを調整し装着する。、更に乗車者２００の肩に負荷が掛かりショルダーベルト１が食い込まないように、ショルダーベルトパット１Ｃが挿入されている。
【００２９】
輪状部材のショルダーベルト１の先端にはショルダーベルトフック１Ａが有り、輪状針金部材のリング２にショルダーベルトフック１Ａの両端が接続される。更に輪状針金部材のリング２に緩衝バネ３の一方の端が接続され、もう一方の端が輪状針金部材のリング２Ａに接続されている。緩衝バネ３にはワイヤー部材の緩衝バネストッパー３Ａが装備され緩衝バネ３の伸びきりを防止している。ワイヤー部材の緩衝バネストッパー３Ａは緩衝バネ３と平行して一方の端が輪状針金部材のリング２に取り付けられ、もう一方の端が輪状針金部材のリング２Ａに取り付けている。ワイヤー部材の緩衝バネストッパー３Ａのワイヤーの長さは緩衝バネ３の長さの約２倍有り、たるみが生じるので緩衝バネ３の外側に自在に動く、約２ｃｍ程度のパイプ部材の緩衝バネストッパー固定部３Ｂを挿入して、ワイヤー部材の緩衝バネストッパー３Ａのワイヤーの中央部を結束して緩衝バネストッパー３Ａのたるみを押さえている。
【００３０】
ワイヤー部材の緩衝バネストッパー３Ａの一方の端に接続された、輪状針金部材のリング２にリード４の一方の端が接続され、もう一方の端に有るリードフック４Ａを泥よけステイ５に接続する。またリード４にはリードタックル４Ｂが装備されており、自転車１００のサイズに対してリード２の長さを調整出来るようになっている。
【００３１】
図３は、上り坂対応自転車牽引ベルトのリードフック４Ａを自転車２００の泥よけステイ５に接続した拡大図である。リード４は乗車者２００側の泥よけステイ５Ａに通してから反対側の泥よけステイ５に対してリードフック４Ａにより接続される。
【００３２】
図４は、上り坂対応自転車牽引ベルトのパイプ部材の延長ハンドル７とセンターハンドル８の拡大図である。延長ハンドル７は自転車２００のどちらか一方の自転車ハンドル６に取り付けられ、自転車ハンドル６のハンドル握り部６Ａのサイズに合ったパイプ部材の延長ハンドル取り付け部７Ｂが、ハンドル握り部６Ａに挿入され、輪状部材の延長ハンドル固定バンド７Ａにより固定される。延長ハンドル取り付け部７Ｂの先端には、パイプ部材の延長ハンドル収縮自在バー７Ｃが取り付けられて、自転車ハンドル６を延長している。更に延長ハンドル収縮自在バー７Ｃの先端にはゴム部材の延長ハンドル握り部７Ｄがある。
【００３３】
センターハンドル８は自転車ハンドル６の中央部に、T字型パイプ部材のセンターハンドル取り付け部８Ａを輪状金属部材のセンターハンドル取り付けバンド８Ｂにより取り付けられ、更に約１５ｃｍ程度のセンターハンドルパイプ部８Ｃが挿入され、ゴム部材のセンターハンドル握り部８Ｄが取り付けられている。
【００３４】
図５は、傘アングル９Ａを取り付けた状態で走歩している図であり、構造はセンターハンドル８の先端のセンターハンドル握り部８Ｄの内部に約１０ｃｍ程度のパイプが挿入され約２ｃｍ程度出ており、傘アングル取り付け部９となっていて、雨の日にはパイプ部材の傘アングル９Ａを挿入して接続し、傘取り付け部９Ｂを介して透明傘３００を取り付ける事ができる。傘アングル取り付け部９には通常、筒状部品のキャップ９Ｄが取り付けられている。
【実施例】
【００３５】
従来、上り坂を自転車で登る場合、自転車の変速ギアーを使って登るか、又は電動自転車を使用するか、更に実用新案に有るように（一般普及はしていない）身体に装備した自転車用増力駆動帯テンションバンドで自転車の漕ぎ力を増して登るかでした。しかし、いずれにおいても上り坂に対しては限界があり、電動自転車は有利ですが値段が高すぎるのと充電をしなければならないという欠点があります。また通常は上り坂がきつい場合は自転車から降りて上り坂を登りますが、しかし上り坂を重い自転車を両腕で押して登るのですから大変です。
【産業上の利用可能性】
【００３６】
上り坂対応自転車牽引ベルトは、上り坂の多い町に住んでいて、自転車で上り坂に苦労している人々に対して考えたものであり、日本は起伏の多い国でもありますので全国には対象者が多くいると思われます。また、レジャーとしてハイキングを自転車で楽しむ事もでき、マウンテンバイクで運搬補助者なしの一人での練習も可能となります。更には歩く事と自転車に乗る事の両方を楽しめる事により自転車の長旅や、健康サイクリングが活性化する可能性があり、これらを総合しますと一般社会に普及する可能性は多いにあると思われます。
【図面の簡単な説明】
【００３７】
【図１】本発明の実施形態に従った、上り坂対応自転車牽引ベルトを乗車者が装着し            て自転車を牽引している外観斜図である。
【図２】本発明の実施形態に従った、上り坂対応自転車牽引ベルトのショルダーベル            ト及び緩衝バネ、緩衝バネストッパー、リードの拡大斜図である。
【図３】本発明の実施形態に従った、上り坂対応自転車牽引ベルトのリード及びリー        ドフックが泥よけステイに接続される部分の拡大斜図である。
【図４】本発明の実施形態に従った、上り坂対応自転車牽引ベルトの自転車ハンドル            に取り付ける延長ハンドル、及びセンターハンドルの拡大斜図である。
【図５】本発明の実施形態に従った、上り坂対応自転車牽引ベルトの自転車ハンドル            に取り付けられたセンターハンドルに、センターハンドル傘取り付けアング            ル接続部、及び傘取り付けアングル、傘取り付け接続部、透明傘を取り付け            た斜図である。
【符号の説明】
【００３８】
１            ショルダーベルト
１Ａ          ショルダーベルトフック
１Ｂ          ショルダーベルトタックル
１Ｃ          ショルダーベルトパット
２            リング
２Ａ          リング
３            緩衝バネ
３Ａ          緩衝バネストッパー
３Ｂ          緩衝バネストッパー固定部
４            リード
４Ａ          リードフック
４Ｂ          リードタックル
５            泥よけステイ
５Ａ          泥よけステイ
６            自転車ハンドル
６Ａ          ハンドル握り部
７            延長ハンドル
７Ａ          延長ハンドル固定バンド
７Ｂ          延長ハンドル取り付け部
７Ｃ          延長ハンドル収縮自在バー
７Ｄ          延長ハンドル握り部
８            センターハンドル
８Ａ          センターハンドル取り付け部
８Ｂ          センターハンドル取り付けバンド
８Ｃ          センターハンドルパイプ部
８Ｄ          センターハンドル握り部
９            傘アングル取り付け部
９Ａ          傘アングル
９Ｂ          傘取り付け部
９Ｃ          留め金
９Ｄ          キャップ
１０            ペダル
１１            タイヤ
１００            自転車
２００            乗車者
３００            透明傘
【図１】
2008001140.tif 000003
【図２】
2008001140.tif 000004
【図３】
2008001140.tif 000005
【図４】
2008001140.tif 000006
【図５】
2008001140.tif 000007
【手続補正書】
【提出日】平成18年10月6日(2006.10.6)
【手続補正１】
【補正対象書類名】特許請求の範囲
【補正対象項目名】全文
【補正方法】変更
【補正の内容】
【特許請求の範囲】
【請求項１】
乗車者２００の身体にショルダーベルト１を装着して、上り坂を歩行により自転車１００を牽引するもので、輪状部材の長さ調整可能なショルダーベルト１を輪状針金部材のリング２を介して緩衝バネ３に連結し、緩衝バネ３のもう一方の端を輪状針金部材のリング２Ａを介してリード４に連結され、リード４のもう一方の端にあるリードフック４Ａを自転車１００の後輪の泥よけステイ５Ａに接続する構造を有し、更にショルダーベルト１とリード４の間にある緩衝バネ３は、自転車１００のタイヤ接地面からの衝撃、及び歩行による乗車者２００の身体の前後の揺動を緩衝するために装備され、緩衝バネ３の構造は、緩衝バネ３の両端に輪状針金部材のリング２とリング２Ａが取り付けられ、更に緩衝バネ３に平行してワイヤー部材の緩衝バネストッパー３Ａが輪状針金部材のリング２及びリング２Ａに取り付けられていて、ワイヤー部材の緩衝バネストッパー３Ａは緩衝バネ３の約２倍の長さがあり、緩衝バネ３が伸びきる前にワイヤー部材の緩衝バネストッパー３Ａが伸びきってストッパーの役目をし、更に緩衝バネ３の外輪に、パイプ部材の緩衝バネストッパー固定部３Ｂを挿入して、緩衝バネストッパー３Ａをフリーな状態で固定しコンパクトにする構造を有する、上り坂対応自転車牽引ベルト
【請求項２】
請求項１に記載された上り坂対応自転車牽引ベルトを備えたベルト付き自転車１００であって、自転車ハンドル６の片方の握り部に延長ハンドル７を取り付け、更に自転車ハンドル６の中央部にセンターハンドル８が装備され、その構造は片方の自転車ハンドル６のハンドル握り部６Ａに、パイプ部材の延長ハンドル取り付け部７Ｂを挿入し、延長ハンドル固定バンド７Ａで固定し、更に延長ハンドル取り付け部７Ｂのもう一方の端に、パイプ部材の延長ハンドル収縮自在バー７Ｃを連結し、延長ハンドル収縮自在バー７Ｃの先端には延長ハンドル握り部７Ｄを有し、また自転車ハンドル６の中央部には、丁字型パイプ部材のセンターハンドル取り付け部８Ａを自転車ハンドル６にセンターハンドル取り付けバンド８Ｂで固定し、更にセンターハンドル取り付け部８Ａにセンターハンドルパイプ部８Ｃを接続し、センターハンドルパイプ部８Ｃにはセンターハンドル握り部８Ｄが装備された、ベルト付き自転車。
【手続補正２】
【補正対象書類名】明細書
【補正対象項目名】０００１
【補正方法】変更
【補正の内容】
【０００１】
本発明は、自転車を上り坂で手押しによる歩行をする場合、上り坂の抵抗力と自転車の自重、及び手押しによる自転車の傾きによる三つの合力の重さが乗車者の両腕に掛かるのを軽減するために、上り坂対応自転車牽引ベルトは、乗車者の身体にショルダーベルトを装着して、自転車を乗車者の身体で牽引し、両腕に掛かる上り坂の抵抗力と自転車の自重を軽減するベルト付き自転車であって、更にベルト付き自転車のハンドルに延長ハンドル、及びセンターハンドルを取り付け、ベルト付き自転車を垂直にし、中心バランスを取ることによって、ベルト付き自転車の傾きによる重さを軽減するその構造は、ショルダーベルト、リング、緩衝バネ、緩衝バネストッパー、リード及び延長ハンドル、センターハンドルで構成されている。
【手続補正３】
【補正対象書類名】明細書
【補正対象項目名】０００２
【補正方法】変更
【補正の内容】
【０００２】
従来、自転車の上り坂に対応する為の技術は多数考案されて来ました。
【手続補正４】
【補正対象書類名】明細書
【補正対象項目名】００１５
【補正方法】変更
【補正の内容】
【００１５】
ベルト付き自転車の片側の自転車ハンドル握り部に延長ハンドルを装着する。延長ハンドルの構造は、パイプ部材の太めの延長ハンドル取り付け部を自転車ハンドル握り部に挿入して、延長ハンドル固定バンドで固定し、更にもう一方の端にはハンドルを延長するための細めの延長ハンドル収縮自在バーが連結され、その先端にはゴム部材（スポンジ部材等も含む）の延長ハンドル握り部が装備されている。
【手続補正５】
【補正対象書類名】明細書
【補正対象項目名】００１７
【補正方法】変更
【補正の内容】
【００１７】
以上のように本発明の上り坂対応自転車牽引ベルトは構成されているので、上り坂を自転車を足で漕いで行くか、又は腕で押して行くのに対し、上り坂対応自転車牽引ベルトは、ショルダーベルトを乗車者の身体に掛け、乗車者の体重をショルダーベルトに掛けて、上り坂を歩行において、自転車を牽引するものであり、更にショルダーベルトとリードとの間には緩衝バネが装備され、自転車のタイヤ接地面からの衝撃、及び歩行による乗車者の身体の前後の揺動を緩衝している。また自転車を牽引ベルトで牽引することにより、上り坂の抵抗力と自転車の自重が両腕に掛かることなく、乗車者の手押しによる前のめりの姿勢から解放し、疲れを軽減する効果のあるベルト付き自転車である。更にベルト付き自転車の自転車ハンドルの片側に延長ハンドル及びセンターハンドルを取り付ける。その目的はベルト付き自転車を牽引する際に、自転車のペダルが乗車者の足に引っ掛かるのを避けるために自転車を内側に傾けるが、その際、自転車の負荷加重が両腕に掛かる。この負荷重量を解消するために、延長ハンドル及びセンターハンドルで自転車を垂直に立て、中心バランスを取ることで両腕に掛かる負荷重量をなくす。更に延長ハンドルにより乗車者がベルト付き自転車から離れて歩行が出来ることで、ペダルが足に引っ掛からないようになる。また自転車の延長ハンドル及びセンターハンドルに両腕を寄りかかることで、シルバーカーのように上り坂に対して足を無駄に踏ん張る必要もなく、楽に登れると言う効果もある。
【手続補正６】
【補正対象書類名】明細書
【補正対象項目名】００２２
【補正方法】変更
【補正の内容】
【００２２】
図１に示すように上り坂対応自転車牽引ベルトは、輪状部材の調整可能なショルダーベルト１の先端にあるショルダーベルトフック１Ａを輪状針金部材のリング２に接続して、更に緩衝バネ３の一端をリング２に接続する。緩衝バネ３のもう一方の端を輪状針金部材のリング２Ａに接続し、更にリング２Ａにリード４の一端を連結し、もう一方の端に有るリードフック４Ａにより自転車１００後方にある泥よけステイ５Ａに接続され、また緩衝バネ３の外輪に緩衝バネストッパー３Ａが備えられているベルト付き自転車１００で、更にベルト付き自転車１００の片側の自転車ハンドル６に対して、ハンドル握り部６Ａに、取り付け取り外しが容易なパイプ部材の延長ハンドル７、及びセンターハンドル８が取り付けられる。
【手続補正７】
【補正対象書類名】明細書
【補正対象項目名】００２５
【補正方法】変更
【補正の内容】
【００２５】
緩衝バネ３が接続している輪状針金部材のリング２Ａに、リード４の一方の先端が接続され、もう一方の端にあるリードフック４Ａを泥よけステイ５に接続する事で自転車１００を後方より、乗車者２００の身体で牽引する事ができ、またリード４には自転車１００のサイズによって長さを調整出来るリードタックル４Ｂを備えているベルト付き自転車。
【手続補正８】
【補正対象書類名】明細書
【補正対象項目名】００２６
【補正方法】変更
【補正の内容】
【００２６】
ベルト付き自転車１００の自転車ハンドル６に、パイプ部材の延長ハンドル７、及びセンターハンドル８が取り付けられ、パイプ部材の延長ハンドル７の構造は、ベルト付き自転車１００のハンドル握り部６Ａに、延長ハンドル固定バンド７Ａを備えた取り付け取り外しが簡単にできる、パイプ部材の延長ハンドル取り付け部７Ｂと、延長ハンドル７を延長するための細めのパイプ部材の延長ハンドル収縮自在バー７Ｃ、及びゴム製部材（スポンジ製、他も含む）の延長ハンドル握り部７Ｄで構成されている。またセンターハンドル８はパイプ部材でＴ字型のセンターハンドル取り付け部８Ａを輪状金属部材のセンターハンドル取り付けバンド８Ｂで固定し、また輪状部材のＴ字型センターハンドル取り付け部８Ａに延長約１５ｃｍ程度のセンターハンドルパイプ部８Ｃが差し込まれ、その上にゴム部材のセンターハンドル握り部８Ｄがあり、雨の日に傘を使用する目的で、パイプ部材の傘アングル９Ａが取り付けられ、傘アングル９Ａの先端に有る傘取り付け部９Ｂに、透明傘３００の柄の曲がり部を切って挿入し金属部材の留め金９Ｃで固定する簡単な構造になっている。また通常は傘アングル取り付け部９には円筒部材のキャップ９Ｄが取り付けられている。
【手続補正書】
【提出日】平成19年2月26日(2007.2.26)
【手続補正１】
【補正対象書類名】特許請求の範囲
【補正対象項目名】全文
【補正方法】変更
【補正の内容】
【特許請求の範囲】
【請求項１】
乗車者２００の身体にショルダーベルト１を装着して、上り坂を歩行により自転車１００を牽引するもので、輪状部材の長さ調整可能なショルダーベルト１を輪状針金部材のリング２を介して緩衝バネ３に連結し、緩衝バネ３のもう一方の端を輪状針金部材のリング２Ａを介してリード４に連結され、リード４のもう一方の端にあるリードフック４Ａを自転車１００の後輪の泥よけステイ５Ａに接続する構造を有し、緩衝バネ３の構造は、緩衝バネ３の両端に輪状針金部材のリング２とリング２Ａとが取り付けられ、更に緩衝バネ３に平行してワイヤー部材の緩衝バネストッパー３Ａが輪状針金部材のリング２及びリング２Ａに取り付けられていて、ワイヤー部材の緩衝バネストッパー３Ａは緩衝バネ３の約２倍の長さがあり、緩衝バネ３が伸びきる前にワイヤー部材の緩衝バネストッパー３Ａが伸びきってストッパーの役目をし、更に緩衝バネ３の外側に、パイプ部材の緩衝バネストッパー固定部３Ｂを挿入して、緩衝バネストッパー３Ａの中央部を緩衝バネストッパー固定部３Ｂに取り付けていることを、特徴とする上り坂対応自転車牽引ベルト
【請求項２】
請求項１に記載された上り坂対応自転車牽引ベルトを備えたベルト付き自転車１００であって、自転車ハンドル６の片方の握り部に延長ハンドル７を取り付け、更に自転車ハンドル６の中央部にセンターハンドル８が装備され、その構造は片方の自転車ハンドル６のハンドル握り部６Ａに、パイプ部材の延長ハンドル取り付け部７Ｂを挿入し、延長ハンドル固定バンド７Ａで延長ハンドル取り付け部７Ｂを固定し、更に延長ハンドル取り付け部７Ｂのもう一方の端に、パイプ部材の延長ハンドル収縮自在バー７Ｃを連結し、延長ハンドル収縮自在バー７Ｃの先端には延長ハンドル握り部７Ｄを有し、また自転車ハンドル６の中央部には、Ｔ字型パイプ部材のセンターハンドル取り付け部８Ａを自転車ハンドル６にセンターハンドル取り付けバンド８Ｂで固定し、更にセンターハンドル取り付け部８Ａにセンターハンドルパイプ部８Ｃを接続し、センターハンドルパイプ部８Ｃにはセンターハンドル握り部８Ｄが装備された、ベルト付き自転車。
【手続補正３】
【補正対象書類名】明細書
【補正対象項目名】００１０
【補正方法】変更
【補正の内容】
【００１０】
本発明は上述した、このような自転車用増力駆動テンションベルトの脱着具、及び自転車用電動モーター取り付け部品とその製造方法の問題点に対して、解決する事が出来る、上り坂対応自転車牽引ベルトおよびベルト付き自転車を提供する事である。
【手続補正４】
【補正対象書類名】明細書
【補正対象項目名】００１７
【補正方法】変更
【補正の内容】
【００１７】
以上のように本発明の上り坂対応自転車牽引ベルトおよびベルト付き自転車は構成されているので、上り坂を自転車を足で漕いで行くか、又は腕で押して行くのに対し、上り坂対応自転車牽引ベルトは、ショルダーベルトを乗車者の身体に掛け、乗車者の体重をショルダーベルトに掛けて、上り坂を歩行において、自転車を牽引するものであり、更にショルダーベルトとリードとの間には緩衝バネが装備されている。また自転車を牽引ベルトで牽引することにより、上り坂の抵抗力と自転車の自重が両腕に掛かることなく、乗車者の手押しによる前のめりの姿勢から解放し、疲れを軽減する効果のあるベルト付き自転車である。更にベルト付き自転車の自転車ハンドルの片側に延長ハンドル及びセンターハンドルを取り付ける。その目的はベルト付き自転車を牽引する際に、自転車のペダルが乗車者の足に引っ掛かるのを避けるために自転車を内側に傾けるが、その際、自転車の負荷加重が両腕に掛かる。この負荷重量を解消するために、延長ハンドル及びセンターハンドルで自転車を垂直に立て、中心バランスを取ることで両腕に掛かる負荷重量をなくす。更に延長ハンドルにより乗車者がベルト付き自転車から離れて歩行が出来ることで、ペダルが足に引っ掛からないようになる。また自転車の延長ハンドル及びセンターハンドルに両腕を寄りかかることで、シルバーカーのように上り坂に対して足を無駄に踏ん張る必要もなく、楽に登れると言う効果もある。
【手続補正５】
【補正対象書類名】明細書
【補正対象項目名】００２２
【補正方法】変更
【補正の内容】
【００２２】
図１に示すように上り坂対応自転車牽引ベルトは、輪状部材の調整可能なショルダーベルト１の先端にあるショルダーベルトフック１Ａを輪状針金部材のリング２に接続して、更に緩衝バネ３の一端をリング２に接続する。緩衝バネ３のもう一方の端を輪状針金部材のリング２Ａに接続し、更にリング２Ａにリード４の一端を連結し、もう一方の端に有るリードフック４Ａにより自転車１００後方にある泥よけステイ５Ａに接続され、また緩衝バネ３の外側に緩衝バネストッパー３Ａが備えられているベルト付き自転車１００で、更にベルト付き自転車１００の片側の自転車ハンドル６に対して、ハンドル握り部６Ａに、取り付け取り外しが容易なパイプ部材の延長ハンドル７、及びセンターハンドル８が取り付けられる。
【手続補正６】
【補正対象書類名】図面
【補正対象項目名】図４
【補正方法】変更
【補正の内容】
【図４】
2008001140.tif 000008
【手続補正７】
【補正対象書類名】図面
【補正対象項目名】図５
【補正方法】変更
【補正の内容】
【図５】
2008001140.tif 000009